(57)【要約】【課題】  本発明は、補給水を長期に渡って行わなくてもよい植木鉢の受け皿を提供する。【解決手段】  本発明は、受け皿の底体上に植木鉢の支持部１０４に形成された排出口１０５の頂部の高さより低い高さの堤１２を植木鉢の支持部１０４の外側に形成し、堤１２の外側に第１水受け溝１５を形成すると共に植木鉢の底体に形成の水抜き孔１０２に対応する位置に第２水受け溝８を形成する。【選択図】  図１
2006025764.tif 000002
【特許請求の範囲】
【請求項１】
底板に水抜き孔が穿設され、該底板から突設して設けられた支持部に排出口を形成した植木鉢を載置する受け皿であって、
該受け皿の底板上に前記植木鉢の支持部に形成された排出口の頂部の高さより低い高さの堤を植木鉢の支持部の外側に形成し、該堤の外側に第１水受け溝を形成すると共に前記植木鉢の底板に形成の水抜き孔に対応する位置に第２水受け溝を形成することを特徴とする植木鉢の受け皿。
【請求項２】
第２水受け溝は水受け溝と連通して形成してあることを特徴とする請求項１の植木鉢の受け皿。
【発明の詳細な説明】
【技術分野】
【０００１】
本発明は、植木鉢の受け皿に関する。
【背景技術】
【０００２】
従来の植木鉢の受け皿の例として、特公平７−１０６１４０号公報に開示してあり、断面を図４（Ａ）に、部分拡大図を図４（Ｂ）に示す。
植木鉢１００は、底体１０１に水抜き孔１０２が穿設してあり、該底体１０１から突設して設けられた支持部１０４に、適宜の大きさの排出口１０５が形成してある。
又、植木鉢の受け皿１１０の底体１１１の上には、植木鉢の支持部１０４に形成された排出口１０５の頂部の高さ（ｈ１）より低い高さ（ｈ２）の堤１１２が、植木鉢の支持部１０４の外側に形成してあると共に、その堤１１２の外側に水受け溝１１５が形成してある。
【０００３】
前記構成の植木鉢１００と受け皿１１０によって、植木鉢１００に多量の水を注水をしたとしても、植木鉢１００内の土に含有する水は、前記堤１１２内に保留する水以外の余分な水は、植木鉢１００から水受け溝１１５に排出することができる。
そのため、注水量を多めにすればよく、前記堤１１２の高さで予め決められた保水量を確保できるので、容易に観葉植物の管理ができる。
【０００４】
【特許文献１】特公平７−１０６１４０号公報
【発明の開示】
【発明が解決しようとする課題】
【０００５】
しかし、前記植木鉢の受け皿１１０は、堤１１２内に水があるときには、植物は植木鉢の水抜き孔１０２から、水の蒸発で水分補給ができるが、堤１１２内に水が無くなると、もはや水分補給ができないという課題が生ずる。従って、堤１１２内に水が無くなる前に、植木鉢１００に水を注水する必要がある。
そこで、本願は、できるだけ長く水の補給をしなくて済む植木鉢の受け皿を提供するものである。
【課題を解決するための手段】
【０００６】
請求項１の植木鉢の受け皿は、底体に水抜き孔が穿設され、該底体から突設して設けられた支持部に排出口を形成した植木鉢を載置する受け皿であって、
該受け皿の底体上に前記植木鉢の支持部に形成された排出口の頂部の高さより低い高さの堤を植木鉢の支持部の外側に形成し、該堤の外側に第１水受け溝を形成すると共に前記植木鉢の底体に形成の水抜き孔に対応する位置に第２水受け溝を形成する。
請求項２の植木鉢の受け皿は、第２水受け溝は水受け溝と連通して形成してある。
【０００７】
植木鉢に注水すると、水は土に浸透し、余分な水は植木鉢の底体に穿設された水抜き孔から先ず、第２水受け溝に溜り、その後、支持部に形成された排出口から排出される。尚、その排出口の頂部の高さは、受け皿の底体に形成されている堤より高く形成されているため、多量の水が排出口から流れたとしても、その排出口を閉鎖することがない。
そこで、多量の水を注水したとしても、水抜き孔から排出される水は、第２水受け溝に溜り、その後、堤から溢流して第１水受け溝に排出されるので、余分な水が植木鉢内に溜ることがないので、植木鉢に注水する水を多めに注水すれば良く、注水量の管理が容易となる。
又、第２水受け溝が、植木鉢に形成の水抜き孔に対応する位置に形成してあるので、水抜き孔から排出された水はこの第２水受け溝に溜るので、植物はこの第２水受け溝に溜っている蒸発する水を水抜き孔から吸収することができる。
【０００８】
又、請求項２の植木鉢の受け皿は、第２水受け溝と水受け溝が連通しているので、第２水受け溝に溜っている水の減少を水受け溝で補うことができる。
【発明の効果】
【０００９】
請求項１の植木鉢の受け皿には、植木鉢に形成の水抜き孔に対応する位置に第２水受け溝が形成してあるので、その第２水受け溝に溜っている水の蒸発によって、植物は植木鉢に形成の水抜き孔から水を吸収することができるので、長期に渡って、水を補給しなくて済む。
又、請求項２の植木鉢の受け皿に形成の第２水受け溝は、水受け溝に連通しているので、第２水受け溝に溜っている水の減少を水受け溝で補うことができるので、長期に渡って、水を補給しなくて済む。
【発明を実施するための最良の形態】
【００１０】
本発明の受け皿１０を図面を参照して説明する。
図１（Ａ）は皿型状の受け皿１０の平面図、（Ｂ）は断面を示し、受け皿１０の底体１１は、種々の大きさ、形状に成形されている従来の植木鉢１００（図４）の支持部１０４を載置可能な大きさでほぼ平坦に形成されている。
陶器、合成樹脂等で成形の受け皿１０の周縁には、適宜の高さの本体９が形成してあると共に、本体９の内側には詳述する円状の堤１２が形成してあり、この堤１２と本体９とで第１水受け溝１５が形成してある。
【００１１】
又、前記円状の堤１２内には、直線状の第２水受け溝８が形成してあり、この第２水受け溝８は植木鉢の底体１０１に形成の水抜き孔１０２から第２水受け溝８に溜っている水が蒸発したとき、吸収可能な位置であり、水抜き孔１０２のほぼ直下に、適宜の幅で設けてある。
この円状の堤１２内に形成の第２水受け溝８によって、底体１１は円弧状の第１保水部１３ａと第２保水部１３ｂが形成され、第１保水部１３ａと第２保水部１３ｂの底部はほぼ水平に形成してあるが、第２水受け溝８に向かって下り傾斜状に形成するのが望ましい。
【００１２】
尚、前記堤１２は、図４（Ｂ）に示すと同様に、植木鉢１００の支持部１０４に形成されている複数の排出口１０５の頂部の高さ（ｈ１）より低い高さ（ｈ２）で立設形成してある。
従って、水が、第１保水部１３ａと第２保水部１３ｂ及び第２水受け溝８に溜って、堤１２を溢れると、第１水受け溝１５に流れる。
【００１３】
次に、図２は、受け皿１０に植木鉢１００を載せた使用状態を示す断面図である。
観葉植物は、石１０３等を敷き詰めた植木鉢１００に植えられ、受け皿１０の底体１１上に載置され、この状態で、植物に注水すると、水は植木鉢１００内の土を浸透し、余分な水は、先ず、第２水受け溝８に溜り、次に、第１保水部１３ａと第２保水部１３ｂに溜る。
そして、更に、注水量が多いと、第１保水部１３ａと第２保水部１３ｂに溜り、堤１２から溢れると、第１水受け溝１５に流れる。
【００１４】
尚、図４（Ｂ）に示すように、植木鉢の支持部１０４に形成されている複数の排出口１０５の頂部の高さ（ｈ1）は、堤１２（ｈ2）より高く形成されているため、水位はｈ2以下に維持され、排出口１０５を閉鎖することがない。
その為、注水量を多くしたとしても、従来と異なって、土に含有する水量以外の余分な水は植木鉢１００から全量排出されることになるので、土は余分な水を含まない状態となって、植物の根を腐らせることなく管理できる。
即ち、多めに注水すればよく、管理が容易になる。尚、前記受け皿１０の形状は円形の他、長方形等に、又、堤の高さも種々の植木鉢の形状に合わせて製作することはいうまでもない。
【００１５】
又、第２水受け溝８は、植木鉢１００の底体に形成の水抜き孔１０２に対応する位置に設けてあるので、植木鉢１００の保水量が減少しても、植物は第２水受け溝８に溜っている水の蒸発によって水抜き孔２から吸収できるので、長期に渡って、水を補給する必要がない。
【００１６】
次に、図３（Ａ）は他の形状の受け皿１０Ａの平面図、（Ｂ）は断面を示す。この受け皿１０Ａが前記受け皿１０と相違する箇所は、第２水受け溝８が底体１１の中心に、円柱状に形成して点であり、植木鉢１００の底体に形成の水抜き孔２から、第２水受け溝８の蒸発水の吸収が可能になっている。
即ち、円状の受け皿１０Ａは、外側から本体９が形成してあり、その内側に、同心円状の堤１２が底体１１から突出して形成してあり、本体９とで第１水受け溝１５を形成し、更に内側に第２水受け溝８が形成してある。
【００１７】
尚、前記堤１２の高さは、前記図４（Ｂ）に示すと同様に、植木鉢の支持部１０４に形成されている複数の排出口１０５の頂部の高さ（ｈ1）より低く形成してあり、水位はｈ2以下に維持され、排出口１０５を閉鎖することがないようになっている。
又、注水量を多くしたときには、先ず、第２水受け溝８に溜り、次に、保水部１３に溜る。そして、更に、注水量が多いと、保水部１３を形成する堤１２から溢れて第１水受け溝１５に流れる。
従って、植木鉢１００の保水量が減少しても、植物は第２水受け溝８に溜っている水の蒸発によって水抜き孔２から吸収できるので、長期に渡って、水を補給する必要がない。
【００１８】
前記受け皿の第２水受け溝８は、第１水受け溝１５とは連通していない状態に形成してあるが、例えば、図１に示す第２水受け溝８と堤１２の接合部において、堤１２を切り欠くことによって連通状態に形成してもよい。この場合、第２水受け溝８に溜っている水の高さは、第１水受け溝１５と同じ高さであり、第２水受け溝８の貯留水は第１水受け溝１５から補給できるので、多くの水の蒸発量を確保することができる。尚、受け皿は植木鉢と別体で構成する必要はなく一体で構成してもよい。
【図面の簡単な説明】
【００１９】
【図１】（Ａ）は受け皿の平面図、（Ｂ）は断面図である。
【図２】使用状態を示す断面図である。
【図３】（Ａ）は他の構造の受け皿の平面図、（Ｂ）は断面図である。
【図４】（Ａ）は従来の植木鉢と受け皿の使用状態を示す断面図、（Ｂ）は部分拡大図である。
【符号の説明】
【００２０】
８  第２水受け溝
１０、１０Ａ  受け皿
１１  底体
１２  堤
１３  保水部
１３ａ、１３ｂ  保水部
１５  第１水受け溝
１００  植木鉢
１０２  水抜き孔
１０４  支持部
１０５  排出口
【図１】
2006025764.tif 000003
【図２】
2006025764.tif 000004
【図３】
2006025764.tif 000005
【図４】
2006025764.tif 000006